(57)【特許請求の範囲】
【請求項１】
脱着可能なプリント回路アセンブリを受けるための接続装置であって、
コネクタ本体と、
前記コネクタ本体に移動可能に結合された第１のロックユニットであって、第１のチャンネルを有する第１の外部ロック部材と、該第１のチャンネル内に移動可能に配置された第１の内部ロック部材と、第１の弾性部材とを備える第１のロックユニット
を備え、
前記第１の内部ロック部材は、係合位置で前記脱着可能なプリント回路アセンブリに係合し、係合解除位置で前記脱着可能なプリント回路アセンブリから外れる第１のフランジを備え、
前記第１の弾性部材は、前記第１の内部ロック部材が前記係合位置と前記係合解除位置の間を移動できるようにするために、前記第１のチャンネル内に、かつ、前記第１の外部ロック部材及び前記第１の内部ロック部材に接触して配置されることからなる、接続装置。
【請求項２】
前記第１の弾性部材の第１の係合力は、前記第１のフランジを前記係合位置に配置するように設定される、請求項１の接続装置。
【請求項３】
前記第１の弾性部材は、第１の解放力を受けて、前記第１のフランジを前記係合解除位置に配置するように構成される、請求項１または２の接続装置。
【請求項４】
前記第１の弾性部材はばね部材である、請求項１〜３のいずれかの接続装置。
【請求項５】
前記コネクタ本体は、第１の端部、第２の端部、及び、該第１の端部と該第２の端部の間に配置された中央部分をさらに有し、
前記第１のロックユニットは、前記コネクタ本体の前記第１の端部に移動可能に結合される、請求項１〜４のいずれかの接続装置。
【請求項６】
前記第１のロックユニットは第１のピボット部材をさらに備え、該第１のピボット部材は、該第１のロックユニットが該第１のピボット部材の周りを回転することができるように、該第１のロックユニットを前記コネクタ本体に移動可能に結合することからなる、請求項１〜５のいずれかの接続装置。
【請求項７】
前記第１の内部ロック部材が第１の手動接触部をさらに備え、該第１の手動接触部は、第１の解放力を受けて、該解放力を前記第１の弾性部材に伝えて、前記第１のフランジを前記係合解除位置に配置するために前記第１の内部ロック部材の端部に配置される、請求項１または２の接続装置。
【請求項８】
前記第１の外部ロック部材は、前記コネクタ本体に係合するための第１の固定用隆起部を備える、請求項１〜７のいずれかの接続装置。
【請求項９】
前記コネクタ本体の前記第２の端部に移動可能に結合された第２のロックユニットをさらに備え、
前記第２のロックユニットは、第２のチャンネルを有する第２の外部ロック部材と、該第２のチャンネル内に移動可能に配置された第２の内部ロック部材と、第２の弾性部材とを備え、
前記第２の内部ロック部材は、該第２の内部ロック部材から伸びる第２のフランジを備え、該第２のフランジは、係合位置で前記脱着可能なプリント回路アセンブリに係合し、係合解除位置で前記脱着可能なプリント回路アセンブリから外れ、
前記第２の弾性部材は、前記第２の内部ロック部材が前記係合位置と前記係合解除位置の間を移動できるようにするために、前記第２のチャンネル内に、かつ、前記第２の外部ロック部材及び前記第２の内部ロック部材に接触して配置されることからなる、請求項５、または、請求項５を引用する請求項６、または、請求項５を直接ないし間接に引用する請求項８の接続装置。
【請求項１０】
前記第２の弾性部材の第２の係合力は、前記第２のフランジを前記係合位置に配置するように設定され、前記第２の弾性部材は、第２の解放力を受けて、前記第２のフランジを前記係合解除位置に配置するように構成される、請求項９の接続装置。
【請求項１１】
前記第２の弾性部材はばね部材である、請求項９または１０の接続装置。
【請求項１２】
前記第２のロックユニットは第２のピボット部材をさらに備え、該第２のピボット部材は、該第２のロックユニットが該第２のピボット部材の周りを回転することができるように、該第２のロックユニットを前記コネクタ本体に移動可能に結合する、請求項９〜１１のいずれかの接続装置。
【請求項１３】
前記第２の内部ロック部材が、該第２の内部ロック部材の端部に配置された第２の手動接触部をさらに備え、該第２の手動接触部は、第２の解放力を受けて、該解放力を前記第２の弾性部材に伝えて、前記第２のフランジを前記係合解除位置に配置するように構成される、請求項１０、または、請求項１０を直接ないし間接に引用する請求項１１〜１２のいずれかの接続装置。
【請求項１４】
前記第２の外部ロック部材は、前記コネクタ本体の前記第２の端部に係合するための第２の固定用隆起部を備える、請求項９〜１３のいずれかの接続装置。
【請求項１５】
脱着可能なプリント回路アセンブリと、該脱着可能なプリント回路アセンブリを受けるための接続装置とを備えるプリント回路アセンブリ取り付けシステムであって、
前記脱着可能なプリント回路アセンブリは、プリント回路基板を備え、該プリント回路基板は、第１の受け用くぼみ部、第２の受け用くぼみ部、及びメモリ回路を備え、
前記接続装置は、
第１の端部、第２の端部、及び、該第１の端部と該第２の端部の間に配置された中央部分を有するコネクタ本体と、
前記コネクタ本体の前記第１の端部に移動可能に結合された第１のロックユニットであって、第１のチャンネルを有する第１の外部ロック部材と、該第１のチャンネル内に移動可能に配置された第１の内部ロック部材と、第１の弾性部材とを備える第１のロックユニットと、
前記コネクタ本体の前記第２の端部に移動可能に結合された第２のロックユニット
を備え、
前記第１の内部ロック部材は、係合位置で前記第１の受け用くぼみ部のそれぞれの部分に係合し、係合解除位置で前記第１の受け用くぼみ部の該それぞれの部分から外れる第１のフランジを備え、
前記第１の弾性部材は、前記第１の内部ロック部材が前記係合位置と前記係合解除位置の間を移動できるようにするために、前記第１のチャンネル内に、かつ、前記第１の外部ロック部材及び前記第１の内部ロック部材に接触して配置され、
前記第２のロックユニットは、第２のチャンネルを有する第２の外部ロック部材と、該第２のチャンネル内に移動可能に配置された第２の内部ロック部材と、第２の弾性部材とを備え、
前記第２の内部ロック部材は、係合位置で前記第２の受け用くぼみ部のそれぞれの部分に係合し、係合解除位置で前記第２の受け用くぼみ部の該それぞれの部分から外れる第２のフランジを備え、
前記第２の弾性部材は、前記第２の内部ロック部材が前記係合位置と前記係合解除位置の間を移動できるようにするために、前記第２のチャンネル内に、かつ、前記第２の外部ロック部材及び前記第２の内部ロック部材に接触して配置されることからなる、プリント回路アセンブリ取り付けシステム。
【発明の詳細な説明】
【背景技術】
【０００１】
サーバーなどの電子装置における接続装置は、デュアルインラインメモリモジュール（DIMM）などの脱着可能なプリント回路アセンブリを受けることができる。DIMMは、データ、プログラム、及び／またはこれらに類するものを格納することができる。DIMMを、所望に応じて、取り外し、再び取り付け、及び／または、置き換えることができる。
【図面の簡単な説明】
【０００２】
添付の図面を参照して、本開示の非限定的な例を以下で説明するが、それらの例は、特許請求の範囲を限定するものではない。２以上の図面に現れている同じか類似の構成、または、該構成の要素もしくは部品には、それらが現れている図面において同じか類似の参照符号が付されている。図面に示されている構成要素及び特徴部の寸法は、提示の便宜及び明瞭さに重点を置いて選択されており、必ずしも一定の縮尺で表示されているわけではない。
【図１】１例にしたがう接続装置を示すブロック図である。
【図２Ａ】１例にしたがう、脱着可能なプリント回路アセンブリに対して係合解除位置にある接続装置を示す側面図である。
【図２Ｂ】１例にしたがう、脱着可能なプリント回路アセンブリに対して係合位置にある接続装置を示す側面図である。
【図３Ａ】１例にしたがう、図２Ｂの接続装置の第１のロックユニットを示す斜視図ないし透視図である。
【図３Ｂ】１例にしたがう、脱着可能なプリント回路アセンブリに対して係合位置にある図３Ａの接続装置の第１のロックユニットの断面図である。
【図４Ａ】１例にしたがう、脱着可能なプリント回路アセンブリから外された図３Ｂの接続装置の第１のロックユニットを示す断面図である。
【図４Ｂ】１例にしたがう、脱着可能なプリント回路アセンブリから外された図３Ｂの接続装置の第１のロックユニットを示す断面図である。
【図５Ａ】１例にしたがう、図２Ｂの接続装置の第２のロックユニットを示す斜視図ないし透視図である。
【図５Ｂ】１例にしたがう、脱着可能なプリント回路アセンブリに対して係合位置にある図５Ａの接続装置の第２のロックユニットを示す断面図である。
【図６Ａ】１例にしたがう、脱着可能なプリント回路アセンブリから外された図５Ｂの接続装置の第２のロックユニットを示す断面図である。
【図６Ｂ】１例にしたがう、脱着可能なプリント回路アセンブリから外された図５Ｂの接続装置の第２のロックユニットを示す断面図である。
【図７】１例にしたがうプリント回路アセンブリ取り付けシステムを示すブロック図である。
【発明を実施するための形態】
【０００３】
以下の詳細な説明では本開示の一部を構成する添付の図面を参照しているが、それらの図面には、本開示を実施することができる特定のいくつかの例が例示として示されている。本開示の範囲から逸脱することなく、それら以外の例を使用することができること及び構造的もしくは論理的な変更を行うことができることが理解されるべきである。したがって、以下の詳細な説明は本開示の範囲を限定するものと解されるべきではなく、本開示の範囲は、特許請求の範囲によって画定される。
【０００４】
サーバーなどの電子装置における接続装置は、メモリモジュールなどの脱着可能なプリント回路アセンブリを受けることができる。プリント回路アセンブリを、チップ及び／または他の電子部品を保持する回路基板とすることができる。そのような回路基板は、それぞれのコネクタの対応する電気接点に脱着可能に結合される電気接点を有する縁部を備えることができる。たとえば、それぞれのJEDEC規格などの規格に準拠する接続装置は、デュアルインラインメモリモジュール（DIMM）などの脱着可能なメモリモジュールを受けることができる。それらの接続装置は、それぞれのDIMMの縁部の対応する電気接点を受けるために、たとえば電気接点及び／またはキーを有するスロットを含む中央部分を備えることができる。それらの接続装置は、また、DIMMのそれぞれの縁部を該スロットに挿入する際に該DIMMに脱着可能に係合する（たとえば嵌合する）１組のラッチ（留め具）を備えることができる。それらのラッチは、それらの接続装置のそれぞれの部分（またはそれらの接続装置の各部分もしくは所定のいくつかの部分）に接触する固定用隆起部を備えることにより、それぞれのラッチを取り付け位置に保持するための抵抗力をそれらの部分と該隆起部との間に与えることができる。しかしながら、時には、予期しない力や振動が、それらの固定用隆起部と接続装置のそれぞれの部分の間に提供された抵抗力に打ち勝つ力をラッチに与えることがある。このため、意図せずに、DIMMが接続装置から外れたり、DIMMと接続装置との位置合わせ不良が生じたりすることがある。したがって、DIMM及び／またはDIMM内に格納されているデータが損傷し及び／または利用できなくなる場合がある。
【０００５】
いくつかの例では、脱着可能なプリント回路アセンブリを受ける（または受け入れる）接続装置は、コネクタ本体と、該コネクタ本体に結合された第１のロックユニット（本明細書及び図面中のロックユニットは、係止ユニットまたは係止装置ともいう）を備えることができる。第１のロックユニットは、第１のチャンネルを有する第１の外部ロック部材（本明細書及び図面中のロック部材は、係止部材もしくは固定部材ともいう）、該第１のチャンネル内に移動可能に配置された第１の内部ロック部材、及び第１の弾性部材を備えることができる。第１の内部ロック部材は、係合位置で該脱着可能なプリント回路アセンブリに係合し、及び、係合解除位置で該脱着可能なプリント回路アセンブリから外される（すなわち係合が解除される）第１のフランジを備えることができる。さらに、第１の弾性部材を、第１のチャンネル内に、かつ、第１の外部ロック部材及び第１の内部ロック部材に接触させて配置することができる。さらに、第１の弾性部材は、第１の内部ロック部材が係合位置と係合解除位置との間で移動できるようにすることができる。さらに、係合位置では、第１の弾性部材は、第１のフランジが脱着可能なプリント回路アセンブリに対して係合位置となるように促して該係合位置に保持するのに十分な力を提供することができる。したがって、意図せずに、脱着可能なプリント回路アセンブリを接続装置から外し、または、該アセンブリと接続装置との位置合わせ不良を引き起こし、及び、その結果それらを損傷させる意図しない力もしくは振動を低減することができる。
【０００６】
図１は、１例にしたがう、脱着可能なプリント回路アセンブリを受ける（または受け入れる）接続装置を示すブロック図である。図１を参照すると、いくつかの例では、接続装置１００は、コネクタ本体１１及び該コネクタ本体１１に結合された第１のロックユニット１２を備えることができる。第１のロックユニット１２は、第１のチャンネル１４を有する第１の外部ロック部材１３、該第１のチャンネル１４内に移動可能に配置された第１の内部ロック部材１５、及び第１の弾性部材１７を備えることができる。第１の内部ロック部材１５は、係合位置で該脱着可能なプリント回路アセンブリに係合し、及び、係合解除位置で該脱着可能なプリント回路アセンブリから外される（すなわち係合が解除される）第１のフランジ１６を備えることができる。第１の弾性部材１７を、第１のチャンネル１４内に、かつ、第１の外部ロック部材１３及び第１の内部ロック部材１５に接触させて配置して、第１の内部ロック部材１５が係合位置と係合解除位置との間で移動できるようにすることができる。すなわち、第１のフランジ１６と第１の弾性部材１７は、意図したときに、該脱着可能なプリント回路アセンブリに係合し、そのような係合のための十分な力を維持し、及び、該アセンブリから外すために互いに協働することができる。
【０００７】
図２Ａは、１例にしたがう、脱着可能なプリント回路アセンブリに対して係合解除位置にある接続装置を示す側面図であり、図２Ｂは、１例にしたがう、脱着可能なプリント回路アセンブリに対して係合位置にある接続装置を示す側面図である。図２Ａ及び図２Ｂを参照すると、いくつかの例では、接続装置（コネクタ装置）１００は、コネクタ本体１１、第１のロックユニット１２、及び第２のロックユニット２２を備える。コネクタ本体１１は、第１の端部２１ａ、第２の端部２１ｂ、及び、第１の端部２１ａと第２の端部２１ｂの間に配置された中央部分２１ｃを備えることができる。第１のロックユニット１２を、コネクタ本体１１の第１の端部２１ａにおいて移動可能に結合することができる。図２Ａに示すように、たとえば脱着可能なプリント回路アセンブリ２９を接続装置１００から取り外すために、第１のロックユニット１２及び第２のロックユニット２２を、係合解除位置に配置することができ、及び、脱着可能なプリント回路アセンブリ２９から離れる側に回転させることができる。
【０００８】
図２Ａ及び図２Ｂを参照すると、いくつかの例では、第１のロックユニット１２及び第２のロックユニット２２を、脱着可能なプリント回路アセンブリ２９から離れる側に手動で回転させて、該アセンブリを、接続装置１００のコネクタ本体１１の中央部分２１ｃから取り外すことができる。すなわち、ユーザーは、脱着可能なプリント回路アセンブリ２９から離れる方向への第１のロックユニット１２及び第２のロックユニット２２の移動を開始することができ、続いて、コネクタ本体１１から該プリント回路アセンブリ２９を取り外すことができる。図２Ｂに示すように、脱着可能なプリント回路アセンブリ２９を接続装置１００で受けることができる。また、第１のロックユニット１２及び第２のロックユニット２２を、脱着可能なプリント回路アセンブリ２９に向かって回転させて、該アセンブリに対して係合位置に配置することができる。いくつかの例では、脱着可能なプリント回路アセンブリ２９を接続装置１００のコネクタ本体１１の中央部分２１ｃに挿入するときに、第１のロックユニット１２及び第２のロックユニット２２を、該プリント回路アセンブリ２９に向かって自動で回転させることができる。
【０００９】
図３Ａは、１例にしたがう、図２Ｂの接続装置の第１のロックユニットを示す斜視図である。図３Ｂは、１例にしたがう、脱着可能なプリント回路アセンブリに対して係合位置にある図３Ａの接続装置の第１のロックユニットを示す断面図である。図４Ａ及び図４Ｂは、それぞれの例にしたがう、脱着可能なプリント回路アセンブリから外された図３Ｂの接続装置の第１のロックユニットを示す断面図である。図３Ａ〜図４Ｂを参照すると、いくつかの例では、第１のロックユニット１２は、第１のチャンネル１４を有する第１の外部ロック部材１３、該第１のチャンネル１４内に移動可能に配置された第１の内部ロック部材１５、第１の弾性部材１７、第１のピボット部材３８、及び、第１の方向づけ部材３２を備えることができる。第１の外部ロック部材１３の第１のチャンネル１４を、第１の外部ロック部材１３内に、かつ、該部材１３の長さ方向に沿って配置することができる。
【００１０】
図３Ａ及び図３Ｂを参照すると、いくつかの例では、第１の外部ロック部材１３はまた、コネクタ本体１１の第１の端部２１ａに係合するための第１の固定用隆起部３９を備えることができる。いくつかの例では、第１の外部ロック部材１３は複数の第１の固定用隆起部３９を備えることができる。第１の外部ロック部材１３はまた、脱着可能なプリント回路アセンブリ２９と相互作用するための第１の突出部３１を備えることができる。たとえば、脱着可能なプリント回路アセンブリ２９は、第１の受け用くぼみ部７３ａ、第１の補助的くぼみ部７３ｄ、第２の受け用くぼみ部７３ｂ（図５Ｂ）、第２の補助的くぼみ部７３ｅ（図５Ｂ）、及びメモリ回路７３ｃを有するプリント回路基板７２を備えることができる。いくつかの例では、第１のロックユニット１２がプリント回路アセンブリ２９に向かって回転すると、第１の突出部３１が第１の補助的くぼみ部７３ｄに近接して配置されるようにすることができる。
【００１１】
図３Ａ〜図４Ｂを参照すると、いくつかの例では、第１の内部ロック部材１５は、第１のフランジ１６、第１の手動接触部３５ａ、及び第１のインジケーター部３５ｂを備えることができる。第１のフランジ１６は、たとえば、第１の内部ロック部材１５から外側に伸びることができる。第１のフランジ１６は、係合位置で、脱着可能なプリント回路アセンブリ２９（たとえば第１の受け用くぼみ部７３ａ）に係合することができ、係合解除位置で、脱着可能なプリント回路アセンブリ２９（たとえば第１の受け用くぼみ部７３ａ）から外れる（すなわち係合が解除される）ことができる。たとえば、係合位置では、第１のフランジ１６は、第１の受け用くぼみ７３ａの一部分に押し付けられており、係合解除位置では、第１のフランジ１６は、第１の受け用くぼみ部７３ａのそれぞれの部分（またはくぼみ部７３ａの各部もしくは所定のいくつかの部分）から分離している。たとえば、係合位置において、第１のフランジ１６の上部を第１の受け用くぼみ部７３ａの上部と接触させることができる。代替的に、係合解除位置において、第１のフランジ１６の上部を、（第１の受け用くぼみ部７３ａの上部との接触状態から脱して）第１の受け用くぼみ部７３ａの上部と接触していない状態とすることができる。
【００１２】
第１の解放力fr1を受けてこれを第１の弾性部材１７に伝えて、第１のフランジ１６を係合解除位置に配置するために、第１の手動接触部３５ａを第１の内部ロック部材１５の端部に配置することができる。いくつかの例では、第１の外部ロック部材１３に対する第１のインジケーター部３５ｂの位置は、第１のロックユニット１２が係合位置にあるか係合解除位置にあるかを示すことができる。すなわち、第１のロックユニット１２が脱着可能なプリント回路アセンブリ２９に向かって回転して、第１のフランジ１６が第１の受け用くぼみ部７３ａに押し付けられるときに、第１の内部ロック部材１５は、第１のチャンネル１４から外側に伸び、または代替的に第１のチャンネル１４内に引き込まれて、第１の内部ロック部材１５が係合位置にあることを示すことができる。
【００１３】
図３Ａ〜図４Ｂを参照すると、いくつかの例では、第１の内部ロック部材１５が係合位置と係合解除位置との間を移動できるようにするために、第１の弾性部材１７を、第１のチャンネル１４内に、かつ、第１の外部ロック部材１３及び第１の内部ロック部材１５に接触させて配置することができる。第１の弾性部材１７の第１の係合力fe1を、第１のフランジ１６を係合位置に配置するように生成ないし設定（または構成）することができる。すなわち、第１の係合力fe1は、第１のフランジ１６を第１の受け用くぼみ部７３ａのそれぞれの部分に押し付けることができる。たとえば、係合位置では、第１のフランジ１６の上部を、第１の受け用くぼみ部７３ａの上部に接触するように押し付けることができる。
【００１４】
したがって、第１のフランジ１６を係合解除位置に配置するために第１の解放力fr1を受けるように、第１の弾性部材１７を構成することができる。たとえば、ユーザーが第１の手動接触部３５ａに対して第１の解放力fr1を手動で加えて、該解放力を第１の弾性部材１７に伝えて、第１のフランジ１６を第１の受け用くぼみ部７３ａのそれぞれの部分から離れる方向に動かすことができる。たとえば、係合解除位置では、第１のフランジ１６の上部を第１の受け用くぼみ部７３ａの上部との接触状態から脱した状態（すなわち非接触状態）とすることができる。いくつかの例では、第１の弾性部材１７をばね部材（スプリング部材）とすることができる。第１のロックユニット１２が第１のピボット部材３８の周りを回転できるようにするために、第１のピボット部材３８は、第１のロックユニット１２をコネクタ本体１１に移動可能に結合することができる。いくつかの例では、第１のピボット部材３８を、ピン（固定ピンなど）、または、対応するくぼみ部もしくは移動止めなどとすることができる。第１の方向づけ部材３２は、第１のロックユニット１２を脱着可能なプリント回路アセンブリ２９に対して方向づける（方向づけるとは、たとえば所定の方向ないし向きに向けて配置すること）ことができる。たとえば、第１の方向づけ部材３２は、それぞれのプリント回路アセンブリ２９の部分と接触し、これによって、第１のロックユニット１２がプリント回路アセンブリ２９から離れる方向に回転している間に、第１の突出部材３１が第１の補助的くぼみ部７３ｄから離れる方向に動くのを助けることができる。
【００１５】
図５Ａは、１例にしたがう、図２Ｂの接続装置の第２のロックユニットを示す斜視図である。図５Ｂは、１例にしたがう、脱着可能なプリント回路アセンブリに対して係合位置にある図５Ａの接続装置の第２のロックユニットを示す断面図である。図６Ａ及び図６Ｂは、それぞれの例にしたがう、脱着可能なプリント回路アセンブリから外された図５Ｂの接続装置の第２のロックユニットを示す断面図である。図５Ａ及び図５Ｂを参照すると、いくつかの例では、第２のロックユニット２２は、第２のチャンネル５４を有する第２の外部ロック部材５３、第２のチャンネル５４内に移動可能に配置された第２の内部ロック部材５５、第２の弾性部材５７、第２のピボット部材５８、及び第２の方向づけ部材５２を備えることができる。たとえば、第２の外部ロック部材５３の第２のチャンネル５４を、第２の外部ロック部材５３内に、かつ、該外部ロック部材５３の長さ方向に沿って配置することができる。
【００１６】
第２の外部ロック部材５３はまた、コネクタ本体１１の第２の端部２１ｂに係合するための第２の固定用隆起部５９を備えることができる。いくつかの例では、第２の外部ロック部材５３は複数の第２の固定用隆起部５９を備えることができる。第２の外部ロック部材５３はまた、脱着可能なプリント回路アセンブリ２９と相互作用するための第２の突出部５１を備えることができる。たとえば、脱着可能なプリント回路アセンブリ２９は、第１の受け用くぼみ部７３ａ（図３Ｂ）、第１の補助的くぼみ部７３ｄ（図３Ｂ）、第２の受け用くぼみ部７３ｂ、第２の補助的くぼみ部７３ｅ、及びメモリ回路７３ｃを有するプリント回路基板７２を備えることができる。いくつかの例では、第２のロックユニット２２がプリント回路アセンブリ２９に向かって回転すると、第２の突出部５１が第２の補助的くぼみ部７３ｅに近接して配置されるようにすることができる。
【００１７】
図５Ａ〜図６Ｂを参照すると、いくつかの例では、第２の内部ロック部材５５は、第２のフランジ５６、第２の手動接触部５５ａ、及び第２のインジケーター部５５ｂを備えることができる。第２のフランジ５６は、たとえば、第２の内部ロック部材５５から外側に伸びることができる。第２のフランジ５６は、係合位置で、脱着可能なプリント回路アセンブリ２９（たとえば第２の受け用くぼみ部７３ｂ）に係合することができ、係合解除位置で、脱着可能なプリント回路アセンブリ２９（たとえば第２の受け用くぼみ部７３ｂ）から外れることができる。たとえば、係合位置では、第２のフランジ５６は、第２の受け用くぼみ７３ｂの一部分に押し付けられており、係合解除位置では、第２のフランジ５６は、第２の受け用くぼみ部７３ｂのそれぞれの部分から分離している。たとえば、係合位置において、第２のフランジ５６の上部を第２の受け用くぼみ部７３ｂの上部と接触させることができる。代替的に、係合解除位置において、第２のフランジ５６の上部を、（第２の受け用くぼみ部７３ｂの上部との接触状態から脱して）第２の受け用くぼみ部７３ｂの上部と接触していない状態とすることができる。
【００１８】
第２の解放力fr2を受けてこれを第２の弾性部材５７に伝えて、第２のフランジ５６を係合解除位置に配置するために、第２の手動接触部５５ａを第２の内部ロック部材５５の端部に配置することができる。いくつかの例では、第２の外部ロック部材５３に対する第２のインジケーター部５５ｂの位置は、第２のロックユニット２２が係合位置にあるか係合解除位置にあるかを示すことができる。すなわち、第２のロックユニット２２が脱着可能なプリント回路アセンブリ２９に向かって回転して、第２のフランジ５６が第２の受け用くぼみ部７３ｂに押し付けられるときに、第２の内部ロック部材５５は、第２のチャンネル５４から外側に伸び、または代替的に第２のチャンネル５４内に引き込まれて、第２の内部ロック部材５５が係合位置にあることを示すことができる。
【００１９】
図５Ａ〜図６Ｂを参照すると、いくつかの例では、第２の内部ロック部材５５が係合位置と係合解除位置との間を移動できるようにするために、第２の弾性部材５７を、第２のチャンネル５４内に、かつ、第２の外部ロック部材５３及び第２の内部ロック部材５５に接触させて配置することができる。すなわち、第２のフランジ５６と第２の弾性部材５７は、意図したときに、脱着可能なプリント回路アセンブリ２９に係合し、そのような係合のための十分な力を維持し、及び、該アセンブリから外すために互いに協働することができる。たとえば、第２の弾性部材５７の第２の係合力fe2を、第２のフランジ５６を係合位置に配置するように生成ないし設定（または構成）することができる。第２の係合力fe2は、第２のフランジ５６を第２の受け用くぼみ部７３ｂのそれぞれの部分に押し付けることができる。たとえば、係合位置では、第２のフランジ５６の上部を、第２の受け用くぼみ部７３ｂの上部に接触するように押し付けることができる。
【００２０】
第２のフランジ５６を係合解除位置に配置するために第２の解放力fr2を受けるように、第２の弾性部材５７を構成することができる。すなわち、ユーザーが第２の手動接触部５５ａに対して第２の解放力fr2（図６Ａ）を手動で加えて、該解放力を第２の弾性部材５７に伝えて、第２のフランジ５６を第２の受け用くぼみ部７３ｂのそれぞれの部分から離れる方向に動かすことができる。たとえば、係合解除位置では、第２のフランジ５６の上部を第２の受け用くぼみ部７３ｂの上部との接触状態から脱した状態（すなわち非接触状態）とすることができる。いくつかの例では、第２の弾性部材５７をばね部材（スプリング部材）とすることができる。第２のロックユニット２２が第２のピボット部材５８の周りを回転できるようにするために、第２のピボット部材５８は、第２のロックユニット２２をコネクタ本体１１に移動可能に結合することができる。いくつかの例では、第２のピボット部材５８を、ピン（固定ピンなど）、または、対応するくぼみ部もしくは移動止めなどとすることができる。第２の方向づけ部材５２は、第２のロックユニット２２を脱着可能なプリント回路アセンブリ２９に対して方向づけることができる。たとえば、第２の方向づけ部材５２は、それぞれのプリント回路アセンブリ２９の部分と接触し、これによって、第２のロックユニット２２がプリント回路アセンブリ２９から離れる方向に回転している間に、第２の突出部材５１が第２の補助的くぼみ部７３ｅから離れる方向に動くのを助けることができる。
【００２１】
図７は、１例にしたがうプリント回路アセンブリ取り付けシステム（またはプリント回路アセンブリ取り付け装置）を示すブロック図である。図７を参照すると、いくつかの例では、プリント回路アセンブリ取り付けシステム７００は、脱着可能なプリント回路アセンブリ２９及び接続装置１００を備えることができる。脱着可能なプリント回路アセンブリ２９は、プリント回路基板７２を備えることができる。プリント回路基板７２は、第１の受け用くぼみ部７３ａ、第２の受け用くぼみ部７３ｂ、及びメモリ回路７３ｃを備えることができる。脱着可能なプリント回路アセンブリ２９を受ける接続装置１００は、コネクタ本体１１、第１のロックユニット１２、及び第２のロックユニット２２を備えることができる。コネクタ本体１１は、第１の端部２１ａ、第２の端部２１ｂ、及び、第１の端部２１ａと第２の端部２１ｂの間に配置された中央部分２１ｃを備えることができる。
【００２２】
図７を参照すると、いくつかの例では、第１のロックユニット１２を、コネクタ本体１１の第１の端部２１ａに移動可能に結合することができる。第１のロックユニット１２は、第１のチャンネル１４を有する第１の外部ロック部材１３、第１のチャンネル１４内に移動可能に配置された第１の内部ロック部材１５、及び、第１の弾性部材１７を備えることができる。第１の内部ロック部材１５は、係合位置で第１の受け用くぼみ部７３ａのそれぞれの部分に係合し、及び、係合解除位置で第１の受け用くぼみ部７３ａの該それぞれの部分から外れる（すなわち係合が解除される）第１のフランジ１６を備えることができる。第１の弾性部材１７を、第１のチャンネル１４内に、かつ、第１の外部ロック部材１３及び第１の内部ロック部材１５に接触させて配置して、第１の内部ロック部材１５が係合位置と係合解除位置との間で移動できるようにすることができる。
【００２３】
図７を参照すると、いくつかの例では、第２のロックユニット２２を、コネクタ本体１１の第２の端部２１ｂに移動可能に結合することができる。第２のロックユニット２２は、第２のチャンネル５４を有する第２の外部ロック部材５３、第２のチャンネル５４内に移動可能に配置された第２の内部ロック部材５５、及び、第２の弾性部材５７を備えることができる。第２の内部ロック部材５５は、係合位置で第２の受け用くぼみ部７３ｂのそれぞれの部分に係合し、及び、係合解除位置で第２の受け用くぼみ部７３ｂの該それぞれの部分から外れる（すなわち係合が解除される）第２のフランジ５６を備えることができる。第２の内部ロック部材５５が係合位置と係合解除位置との間を移動できるようにするために、第２の弾性部材５７を、第２のチャンネル５４内に、かつ、第２の外部ロック部材５３及び第２の内部ロック部材５５に接触させて配置することができる。いくつかの例では、第１の弾性部材１７及び第２の弾性部材５７をばね部材（スプリング部材）とすることができる。
【００２４】
本開示の範囲を限定することを意図していない、本開示のいくつかの例の非限定的な詳細な説明を用いて、本開示を説明した。１つの例に関して説明した特徴及び／または動作を他の例で用いることができること、並びに、特定の図面に示したまたは１つの例に関して説明した特徴及び／または動作の全てを全ての例が有しているわけではないことが理解されるべきである。当業者には、説明した例の変形形態が想起されるであろう。さらに、「を含む」、「を備える」、「を有する」という表現及びこれらと同語源の表現は、本開示及び／または特許請求の範囲において使用されているときには、「…を含むが必ずしもそれらには限定されない」ことを意味するものとする。
【００２５】
上記の例のいくつかは、説明のために記述した本開示には必須ではない構造、または構造の動作ないし細部を含みうることに留意されたい。本明細書または図面に記載した構造及び動作を、（構造または動作が異なる場合でも）同じ機能を果たす本技術分野において既知の等価物で置き換えることができる。したがって、本開示の範囲は、特許請求の範囲に記載されている要素及び限定事項によってのみ限定される。
【図１】
0005959731.tif 000002
【図２Ａ】
0005959731.tif 000003
【図２Ｂ】
0005959731.tif 000004
【図３Ａ】
0005959731.tif 000005
【図３Ｂ】
0005959731.tif 000006
【図４Ａ】
0005959731.tif 000007
【図４Ｂ】
0005959731.tif 000008
【図５Ａ】
0005959731.tif 000009
【図５Ｂ】
0005959731.tif 000010
【図６Ａ】
0005959731.tif 000011
【図６Ｂ】
0005959731.tif 000012
【図７】
0005959731.tif 000013